(57)【特許請求の範囲】
【請求項１】
インタレース走査ビデオ信号をプログレッシブ走査ビデオ信号に変換するシステムであって、
該システムは、
該インタレース走査ビデオ信号を受け取る端子と、
該インタレース走査ビデオ信号の比較的低い周波数成分に対して比較的高い周波数成分を減衰することにより、低域通過フィルタリングされたインタレース走査ビデオ信号を提供する低域通過フィルタ（６１０）と、
該受け取られたインタレース走査ビデオ信号から該低域通過フィルタリングされたインタレース走査ビデオを減算することにより、高域通過フィルタリングされたインタレース走査ビデオ信号を提供する減算器（６１２）と、
補間回路（１０６）と
を備え、
該補間回路は、
該低域通過フィルタリングされたインタレース走査ビデオ信号を受け取るように結合されている第１の遅延要素（１１０）であって、水平ライン間隔の数Ｎだけ該低域通過フィルタリングされたインタレース走査ビデオ信号を遅延させることにより、第１の遅延されたビデオ信号を生成し、Ｎ水平ライン間隔は、１フィールド期間より少ないが、Ｎ＋１水平ライン間隔は、１フィールド期間より大きい、第１の遅延要素（１１０）と、
該第１の遅延要素（１１０）に結合されている第２の遅延要素（１１２）であって、１水平ライン間隔だけ該第１の遅延されたビデオ信号を遅延させることにより、第２の遅延されたビデオ信号を生成する第２の遅延要素（１１２）と、
該低域通過フィルタリングされたインタレース走査ビデオ信号と該第１の遅延されたビデオ信号とを組み合わせることにより、第１の補間された信号を生成する第１の補間器（１１４）と、
該低域通過フィルタリングされたインタレース走査ビデオ信号と該第２の遅延されたビデオ信号とを組み合わせることにより、第２の補間された信号を生成する第２の補間器（１１６）と、
該第１の補間器（１１４）に結合されている第１の高速化メモリ（１２０）であって、第１のサンプルレートで該第１の補間された信号のサンプルを受け取り、該第１のサンプルレートの２倍である第２のサンプルレートで該第１の補間された信号のサンプルを出力信号として提供する第１の高速化メモリ（１２０）と、
該第２の補間器（１１６）に結合されている第２の高速化メモリ（１１８）であって、該第１のサンプルレートで該第２の補間された信号のサンプルを受け取り、該第２のサンプルレートで該第１の補間された信号のサンプルを出力信号として提供する第２の高速化メモリ（１１８）と、
該第１の高速化メモリ（１２０）および該第２の高速化メモリ（１１８）に結合されているマルチプレクサ（１３０）であって、該第１の高速化メモリ（１２０）および該第２の高速化メモリ（１１８）の該出力信号を低域通過フィルタリングされたプログレッシブ走査ビデオ信号として交互に提供するマルチプレクサ（１３０）と
を含み、
該システムは、
該高域通過フィルタリングされたインタレース走査ビデオ信号を受け取るように結合されているライン２重化回路（６１６）であって、該高域通過フィルタリングされたインタレース走査ビデオ信号の各ラインを繰り返すことによって、高域通過フィルタリングされたプログレッシブ走査ビデオ信号を生成するライン２重化回路（６１６）と、
該高域通過フィルタリングされたプログレッシブ走査ビデオ信号を該マルチプレクサ（１３０）によって提供された該信号に加えることにより、該プログレッシブ走査ビデオ信号を生成する手段（６１８）と
をさらに備えた、システム。
【請求項２】
前記インタレース走査ビデオ信号の１水平ライン間隔だけ前記高域通過フィルタリングされたインタレース走査ビデオ信号を遅延させることにより、遅延された高域通過フィルタリングされたビデオ信号を生成する第３の遅延要素（８１０）と、
該高域通過フィルタリングされた走査ビデオ信号と該遅延された高域通過フィルタリングされたビデオ信号とを第１の比率で組み合わせることにより、第１の補間された高域通過フィルタリングされたビデオ信号を生成する第３の補間器（８１４）と、
該高域通過フィルタリングされたインタレース走査ビデオ信号と該遅延された高域通過フィルタリングされたビデオ信号とを該第１の比率とは異なる第２の比率で組み合わせることにより、第２の補間された高域通過フィルタリングされたビデオ信号を生成する第４の補間器（８１６）と、
該第１の補間された高域通過フィルタリングされたビデオ信号を該第１の補間された信号に加える手段と、
該第２の補間された高域通過フィルタリングされたビデオ信号を該第２の補間された信号に加える手段と
をさらに備えた、請求項１に記載のインタレース走査ビデオ信号をプログレッシブ走査ビデオ信号に変換するシステム。
【請求項３】
前記受け取られたインタレース走査ビデオ信号は、輝度信号成分とクロミナンス信号成分とを含む複合ビデオ信号であり、前記システムは、前記高域通過フィルタリングされたインタレース走査ビデオ信号を受け取るように結合されている輝度／クロミナンス分離回路をさらに含み、該輝度／クロミナンス分離回路は、該高域通過フィルタリングされたインタレース走査ビデオ信号を前記第３の遅延要素（８１０）、前記第３の補間器（８１４）および前記第４の補間器（８１６）に提供する前に、該高域通過フィルタリングされたインタレース走査ビデオ信号から該クロミナンス信号成分を分離する、請求項２に記載のインタレース走査ビデオ信号をプログレッシブ走査ビデオ信号に変換するシステム。
【請求項４】
前記受け取られたインタレース走査ビデオ信号は、輝度成分信号である、請求項１〜３のいずれか一項に記載のインタレース走査ビデオ信号をプログレッシブ走査ビデオ信号に変換するシステム。
【請求項５】
前記インタレース走査ビデオ信号は、インタレース走査輝度ビデオ信号であり、
Ｎは、２６２に等しい、請求項１〜４のいずれか一項に記載のインタレース走査ビデオ信号をプログレッシブ走査ビデオ信号に変換するシステム。
【請求項６】
第１のサンプルレートを有するインタレース走査ビデオ信号を該第１のサンプルレートより大きい第２のサンプルレートを有するプログレッシブ走査ビデオ信号に変換する方法であって、
該方法は、
ａ）該インタレース走査ビデオ信号を低域通過フィルタリングすることにより、低域通過フィルタリングされたインタレース走査ビデオ信号を提供するステップと、
ｂ）該インタレース走査ビデオ信号から該低域通過フィルタリングされたインタレース走査ビデオ信号を減算することにより、高域通過フィルタリングされたインタレース走査ビデオ信号を提供するステップと、
ｃ）該高域通過フィルタリングされたインタレース走査ビデオ信号のサンプルの各ラインを該第２のサンプルレートでサンプルの２つのラインに変換することにより、高域通過フィルタリングされたプログレッシブ走査ビデオ信号を生成するステップと、
ｄ）該低域通過フィルタリングされたインタレース走査ビデオ信号を表す第１の遅延されたビデオ信号を提供するステップであって、該第１の遅延されたビデオ信号と該低域通過フィルタリングされたインタレース走査ビデオ信号とは、Ｎ水平ライン間隔の時間分異なり、該Ｎは、該Ｎ水平ライン間隔が１フィールド期間より小さいがＮ＋１水平ライン間隔が１フィールド期間より大きくなるような整数である、ステップと、
ｅ）該低域通過フィルタリングされたインタレース走査ビデオ信号を表す第２の遅延されたビデオ信号を提供するステップであって、該第２の遅延されたビデオ信号と該低域通過フィルタリングされたインタレース走査ビデオ信号とは、Ｎ＋１の水平ライン間隔の時間分異なる、ステップと、
ｆ）該低域フィルタリングされたビデオ信号と該第１の遅延されたビデオ信号との間を補間することにより、第１の補間された信号を生成するステップと、
ｇ）該低域通過フィルタリングされたビデオ信号と該第２の遅延されたビデオ信号との間を補間することにより、第２の補間された信号を生成するステップと、
ｈ）該第１の補間された信号および該第２の補間された信号のサンプルレートを２倍にすることにより、２倍速の第１の補間された信号および２倍速の第２の補間された信号を生成するステップと、
ｉ）該２倍速の第１の補間された信号および該２倍速の第２の補間された信号のサンプルの１水平ラインをそれぞれ交互に提供し、該高域通過フィルタリングされたプログレッシブ走査ビデオ信号を該信号に加えることにより、該プログレッシブ走査ビデオ信号を生成するステップと
を包含する、方法。
【請求項７】
前記インタレース走査ビデオ信号の１水平ライン間隔だけ前記高域通過フィルタリングされたインタレース走査ビデオ信号を遅延させることにより、遅延された高域通過フィルタリングされたビデオ信号を生成するステップと、
該高域通過フィルタリングされたインタレース走査ビデオ信号と該遅延された高域通過フィルタリングされたビデオ信号との間を第１の比率で補間することにより、第１の補間された高域通過フィルタリングされたビデオ信号を生成するステップと、
該高域通過フィルタリングされたインタレース走査ビデオ信号と該遅延された高域通過フィルタリングされたビデオ信号との間を該第１の比率とは異なる第２の比率で補間することにより、第２の補間された高域通過フィルタリングされたビデオ信号を生成するステップと、
該第１の補間された高域通過フィルタリングされたビデオ信号を該第１の補間された信号に加えるステップと、
該第２の補間された高域通過フィルタリングされたビデオ信号を該第２の補間された信号に加えるステップと
をさらに包含する、請求項６に記載の方法。
【請求項８】
前記受け取られたインタレース走査ビデオ信号は、輝度信号成分とクロミナンス信号成分とを含む複合ビデオ信号であり、前記方法は、前記高域通過フィルタリングされたインタレース走査ビデオ信号を遅延させるステップおよび該高域通過フィルタリングされたインタレース走査ビデオ信号と該遅延された高域通過フィルタリングされたビデオ信号との間を補間するステップの前に、該高域通過フィルタリングされたインタレース走査ビデオ信号から該クロミナンス信号成分を分離するステップをさらに包含する、請求項７に記載の方法。
【発明の詳細な説明】
【０００１】
【発明の属する技術分野】
本発明は、テレビ受信機に関し、より詳細には、インタレース走査ビデオ信号を非インタレース走査ビデオ画像またはプログレッシブ走査ビデオ画像として表示するテレビ受信機に関する。
【０００２】
【従来の技術】
主要な放送基準の全てに従ってフォーマットされたテレビ信号は、インタレース走査ビデオ信号である。インタレース走査ビデオ信号において、画像フレームは２つのインタリーブされたフィールドとして表示される。１つのフィールド、すなわち、上部フィールドは画像フレームの奇数ラインを含み、他のフィールド、すなわち下部フィールドは画像フレームの偶数ラインを含む。典型的に、画像フィールドは異なる時間で起こる。例えば、ＮＴＳＣ基準に従ってフォーマットされたビデオ信号は、連続的なフィールドの間で１／６０秒のフィールド間隔を有する。
【０００３】
【発明が解決しようとする課題】
インタレース走査のビデオ信号の表示が、表示された画像にアーチファクトを生成することが、長い間公知である。最も目立つものは、表示された画像の垂直ラインを形成する画像の絵素（画素）が画像の上に向かって動くように見える垂直ドットクロールである。
【０００４】
インタレース走査画像を非インタレース走査フォーマットで表示する場合にこの種の歪みが取り除かれ得ることも公知である。インタレース走査信号から非インタレース走査信号を発生する１つの方法は、インタレース走査信号の各ラインを２倍にするか、個々の画像フィールドを画像フレームに変換するためにフィールド内の連続的なラインの間を補間することである。このような画像フレームを発生するためにラインを２倍にするシステムは、フィールドからフィールドを上下に振動するぎざぎざの対角ラインまたは水平ラインなどのアーチファクトを有する傾向にある。間にあるラインおよび画像フィールドを補間するシステムは、補間されたラインの水平解像度が補間されないラインの半分の解像度であるので異なる水平解像度の交互のラインを有する。加えて、高解像度画像ラインおよび低解像度画像ラインの相対位置はフレームからフレームへと変化し、更なるアーチファクトを引き起こす。
【０００５】
他のインタレース走査およびプログレッシブ走査変換システムは、画像フレームを形成する他の画像フィールドから１つの画像フィールドに追加のラインを発生することを試みる。これらのシステムは、適応フィルタ方法または線状フィルタ方法のいずれかを使用する。適応方法は、信号のノイズによってトリックにかかる傾向にある。画像信号のこのノイズは、適応フィルタが誤った決定をさせ可視のアーチファクトを引き起こし得る。従来の線形フィルタを利用するシステムは、１つの画像フィールド内の画素に対して他の画像フィールドにおける画素、または補間された画素に対して補間されない画素の周波数応答が異なるという問題を有する。
【０００６】
本発明は、上記課題を解決するためになされたものであって、２つの構成画像フィールドの時間的（ｔｅｍｐｏｒａｌ）位置の間に時間的位置を有する画像フレームを発生する、インタレース走査−プログレッシブ走査変換システムを提供する。
【０００７】
【課題を解決するための手段】
本発明の１つの局面によれば、インタレース走査ビデオ信号をプログレッシブ走査ビデオ信号に変換するシステムは、インタレース走査ビデオ信号を受け取る端子と、該端子と結合し、水平ライン間隔の数Ｎだけインターレス走査ビデオ信号を遅延して第１の遅延ビデオ信号を生成する第１の遅延要素であって、Ｎ水平ライン間隔が１フィールド期間より少ないが、Ｎ＋１水平ライン間隔が１フィールド期間より大きい第１の遅延要素と、該第１の遅延要素と結合し、１水平ライン間隔だけ該第１の遅延ビデオ信号を遅延して第２の遅延ビデオ信号を生成する第２の遅延要素と、該受け取られたインタレース走査ビデオ信号を該第１の遅延ビデオ信号と組合せ、第１の補間された信号を生成する、第１の補間器と、該受け取られたインタレース走査ビデオ信号を該第２の遅延ビデオ信号と組合せ、第２の補間された信号を生成する、第２の補間器と、該第１の補間器と結合され、第１のサンプルレートで該第１の補間された信号のサンプルを受け取り、該第１のサンプルレートの２倍である第２のサンプルレートで該第１の補間された信号のサンプルを出力信号として提供する、第１の高速化（ｓｐｅｅｄ−ｕｐ）メモリと、該第２の補間器と結合され、該第１のサンプルレートで該第２の補間された信号のサンプルを受け取り、該第２のサンプルレートで該第１の補間された信号のサンプルを出力信号として提供する、第２の高速化メモリと、該第１の高速化メモリおよび該第２の高速化メモリと結合され、該第１および第２の高速化メモリの該出力信号をプログレッシブ走査ビデオ信号として交互に提供するマルチプレクサと、を含む。これにより、上記目的が達成される。
【０００８】
上記システムが、比較的低い周波数成分に関連して前記インタレース走査ビデオ信号の比較的高い周波数成分を減衰し、低域通過フィルタリングされたインタレース走査ビデオ信号を提供する低域通過フィルタであって、前記第１および前記第２の遅延要素と前記第１および前記第２の補間器とが該低域通過フィルタリングされたインタレース走査ビデオ信号を受け取るように結合される低域通過フィルタと、受け取られた該インタレース走査ビデオ信号から該低域通過フィルタリングされたインタレース走査ビデオを減算し、高域通過フィルタリングされたインタレース走査ビデオ信号を提供する減算器と、該高域通過フィルタリングされたインタレース走査ビデオ信号を受け取るように結合され、プログレッシブ走査高域通過フィルタリングされたビデオ信号を発生するライン２重化メモリと、該プログレッシブ走査高域通過フィルタリングされたビデオ信号を、前記マルチプレクサによって提供された信号に加え、プログレッシブ走査ビデオ信号を生成する手段と、を更に含んでもよい。
【０００９】
上記システムが、比較的低い周波数成分に関連して前記インタレース走査ビデオ信号の比較的高い周波数成分を減衰し、低域通過フィルタリングされたインタレース走査ビデオ信号を提供する低域通過フィルタであって、前記第１の遅延要素および前記第２の遅延要素と前記第１の補間器および前記第２の補間器とが該低域通過フィルタリングされたインタレース走査ビデオ信号を受け取るように結合される低域通過フィルタと、該受け取られたインタレース走査ビデオ信号から該低域通過フィルタリングされたインタレース走査ビデオを減算し、高域通過フィルタリングされたインタレース走査ビデオ信号を提供する減算器と、該インタレース走査ビデオ信号の１水平ライン間隔だけ該高域通過フィルタリングされたインタレース走査ビデオ信号を遅延し、遅延された高域通過フィルタリングされたビデオ信号を生成する第３の遅延要素と、該高域通過フィルタリングされた走査ビデオ信号と該遅延された高域通過フィルタリングされたビデオ信号とを第１の比率で組合せ、第１の補間された高域通過フィルタリングされたビデオ信号を生成する第３の補間器と、該高域通過フィルタリングされたインタレース走査ビデオ信号と該遅延された高域通過フィルタリングされたビデオ信号とを該第１の比率と異なる第２の比率で組合せ、第２の補間された高域通過フィルタリングされたビデオ信号を生成する第４の補間器と、該第１の補間された高域通過フィルタリングされたビデオ信号を該第１の補間された信号に加える手段と、該第２の補間された高域通過フィルタリングされたビデオ信号を該第２の補間された信号に加える手段と、を更に含んでもよい。
【００１０】
前記受け取られたインタレース走査ビデオ信号は、輝度信号成分およびクロミナンス信号成分を含む複合ビデオ信号であり、前記システムは前記高域通過フィルタリングされたインタレース走査ビデオ信号を受け取るように結合され、該高域通過フィルタリングされたインタレース走査ビデオ信号を前記第３の遅延要素、前記第３の補間器および前記第４の補間器に提供する前に、該高域通過フィルタリングされたインタレース走査ビデオ信号から該クロミナンス信号成分を分離する、輝度／クロミナンス分離回路を更に含んでもよい。
【００１１】
前記受け取られたインタレース走査ビデオ信号が、輝度成分信号であってもよい。
【００１２】
本発明の別の局面によれば、インタレース走査ビデオ信号をプログレッシブ走査ビデオ信号に変換するシステムであって、インタレース走査輝度ビデオ信号を受け取る端子と、該端子と結合され、２６２の水平ライン間隔だけ該インタレース走査輝度ビデオ信号を遅延する第１の遅延要素と、該第１の遅延要素と結合され、１水平ライン間隔だけ該第１の遅延されたビデオ信号を遅延させて第２の遅延されたビデオ信号を生成する第２の遅延要素と、該受け取られたインタレース走査輝度ビデオ信号を該第１の遅延されたビデオ信号と組合せ、第１の補間された信号を生成する第１の補間器と、該受け取られたインタレース走査輝度ビデオ信号を該第２の遅延されたビデオ信号と組合せ、第２の補間された信号を生成する第２の補間器と、該第１の補間器と結合され、第１のサンプルレートで該第１の補間された信号のサンプルを受け取り、該第１のサンプルレートの２倍である第２のサンプルレートで該第１の補間された信号のサンプルを出力信号として提供する、第１の高速化メモリと、該第２の補間器と結合され、該第１のサンプルレートで該第２の補間された信号のサンプルを受け取り、該第２のサンプルレートで該第１の補間された信号のサンプルを出力信号として提供する、第２の高速化メモリと、該第１および該第２の高速化メモリと結合され、それぞれの該第１および該第２の高速化メモリの出力信号をプログレッシブ走査ビデオ信号として交互に提供するマルチプレクサと、を含む。これにより、上記目的が達成される。
【００１３】
本発明の更に別の局面によれば、第１のサンプルレートを有するインタレース走査ビデオ信号を、該第１のサンプルレートより大きい第２のサンプルレートを有するプログレッシブ走査ビデオ信号に変換する方法は、ａ）該インタレース走査ビデオ信号を表すビデオ信号を提供する工程と、ｂ）該インタレース走査ビデオ信号を表す第２のビデオ信号を提供する工程であって、該第１のビデオ信号および該第２のビデオ信号はＮ水平ライン間隔の時間で異なり、該Ｎが該Ｎ水平ライン間隔は１フィールド期間より小さいがＮ＋１水平ライン間隔は１フィールド期間より大きいような整数である工程と、ｃ）該インタレース走査ビデオ信号を表す第３のビデオ信号を提供する工程であって、該第１のビデオ信号および該第３のビデオ信号が、Ｎ＋１の水平ライン間隔の時間異なる工程と、ｄ）該第１のビデオ信号および該第２のビデオ信号の間を補間して、第１の補間された信号を生成する工程と、ｅ）該第１のビデオ信号および該第３のビデオ信号を補間して、第２の補間された信号を生成する工程と、ｆ）該第１の補間された信号および該第２の補間された信号のサンプルレートを２倍にして２倍速の該第１および第２の補間された信号を生成する工程と、ｇ）該２倍速の第１の補間された信号および該２倍速の第２の補間された信号のサンプルの１水平ラインをプログレッシブ走査ビデオ信号としてそれぞれ交互に提供する工程と、を含む。これにより、上記目的が達成される。
【００１４】
上記の方法が、前記インタレース走査ビデオ信号を低域通過フィルタリングして、低域通過フィルタリングされたインタレース走査ビデオ信号を前記工程ａ）、工程ｂ）および工程ｃ）で処理された前記インタレース走査ビデオ信号として提供する工程と、該インタレース走査ビデオ信号から該低域通過フィルタリングされたインタレース走査ビデオ信号を減算し、高域通過フィルタリングされたインタレース走査ビデオ信号を提供する工程と、該高域通過フィルタリングされたインタレース走査ビデオ信号のサンプルの各ラインを前記第２のサンプルレートでサンプルの２つのラインに変換し、プログレッシブ走査高域通過フィルタリングされたビデオ信号を生成する工程と、該プログレッシブ走査高域通過フィルタリングされたビデオ信号を前記工程ｇ）によって提供された信号に加え、プログレッシブ走査ビデオ信号を生成する工程と、を更に含んでもよい。
【００１５】
上記の方法が、前記インタレース走査ビデオ信号を低域通過フィルタリングして、低域通過フィルタリングされたインタレース走査ビデオ信号を前記工程ａ）、工程ｂ）および工程ｃ）で処理された前記インタレース走査ビデオ信号として提供する工程と、該インタレース走査ビデオ信号から該低域通過フィルタリングされたインタレース走査ビデオ信号を減算し、高域通過フィルタリングされたインタレース走査ビデオ信号を提供する工程と、該高域通過フィルタリングされたインタレース走査ビデオ信号を該インタレース走査ビデオ信号の１水平ライン間隔だけ遅延し、遅延された高域通過フィルタリングビデオ信号を生成する工程と、該高域通過フィルタリングされたインタレース走査ビデオ信号と遅延された高域通過フィルタリングビデオ信号との間を第１の比率で補間し、第１の補間された高域通過フィルタリングビデオ信号を生成する工程と、該高域通過フィルタリングされたインタレース走査ビデオ信号と遅延された高域通過フィルタリングされたビデオ信号との間を該第１の比率とは異なる第２の比率で補間し、第２の補間された高域通過フィルタリングされたビデオ信号を生成する工程と、該第１の補間された高域通過フィルタリングされたビデオ信号を該第１の補間された信号に加える工程と、該第２の補間された高域通過フィルタリングされたビデオ信号を該第２の補間された信号に加える工程と、を更に含んでもよい。
【００１６】
前記受け取られたインタレース走査ビデオ信号は輝度信号成分とクロミナンス信号成分とを含む複合ビデオ信号であってもよく、上記の方法は、前記高域通過フィルタリングされたインタレース走査ビデオ信号を遅延する工程および該高域通過フィルタリングされたインタレース走査ビデオ信号と該遅延された高域通過フィルタリングビデオ信号との間を補間する工程の前に、該クロミナンス信号成分を該高域通過フィルタリングされたインタレース走査ビデオ信号から分離する工程を更に含んでもよい。
【００１７】
本発明の別の局面によれば、第１のサンプルレートを有するインタレース走査ビデオ信号を、該第１のサンプルレートより大きな第２のサンプルレートを有するプログレッシブ走査ビデオ信号に変換する装置は、該インタレース走査ビデオ信号を表すビデオ信号を提供する手段と、該インタレース走査ビデオ信号を表す第２のビデオ信号を提供する手段であって、該第１および該第２のビデオ信号はＮ水平ライン間隔の時間異なり、該Ｎが該Ｎ水平ライン間隔は１フィールド期間より小さいがＮ＋１水平ライン間隔は１フィールド期間より大きいような整数である手段と、該インタレース走査ビデオ信号を表す第３のビデオ信号を提供する手段であって、該第１のビデオ信号および該第３のビデオ信号が、Ｎ＋１水平ライン間隔の時間で異なる手段と、該第１のビデオ信号および該第２のビデオ信号の間を補間して、第１の補間された信号を生成する手段と、該第１のビデオ信号および該第３のビデオ信号を補間して、第２の補間された信号を生成する手段と、該第１の補間された信号および該第２の補間された信号のサンプルレートを２倍にして２倍速の該第１および第２の補間された信号を生成する手段と、該２倍速の第１の補間された信号および該２倍速の第２の補間された信号のサンプルの１水平ラインをプログレッシブ走査ビデオ信号としてそれぞれ交互に提供する手段と、を含む。これにより上記目的が達成される。
【００１８】
本発明は、２つの構成画像フィールドの時間的（ｔｅｍｐｏｒａｌ）位置の間に時間的位置を有する画像フレームを発生する、インタレース走査−プログレッシブ走査変換システムに具現化される。システムは、２つのフィールドが表示されたとき、現在のフィールドからの現在のラインを、現在のラインの真上にある前のフィールドのラインと現在のラインの真下にある前のフィールドのラインとに連続的に平均化することによって、プログレッシブフレームに対する画像ラインを補間する。
【００１９】
本発明の１つの局面によれば、補間方法は、輝度信号情報の比較的低い周波数成分に対してのみ適用される。より高い周波数の輝度情報は、２つの構成フィールドの１つから選択され、ラインの２倍化または、重み付けしたライン補間フィルタによって処理された後のいずれかで表示される。
【００２０】
本発明の別の局面によれば、複合ビデオ信号からのより低い周波数の成分を分離するために使用される低域通過フィルタリングは、輝度／クロミナンスフィルタの一部である。
【００２１】
インタレース走査ビデオ信号をプログレッシブ走査ビデオ信号に変換するシステムは、インタレース走査画像フレームを構成する上部および下部フィールドのそれぞれのライン間にラインを補間してプログレッシブ走査画像フレームを生成する。生成されたラインは、下部フィールドのラインおよび上部フィールドのラインのそれぞれの間に効果的な空間的および時間的位置を有する。上部フィールドからの１つのラインは、プログレッシブフレームの２つのラインを発生するためにインタレースフレームにおける１つのラインの真上および真下の下部フィールドの２つのラインに補間される。任意に、インタレース走査をプログレッシブ走査にする方法は、輝度信号の比較的低い周波数成分にのみ適用される。より高い周波輝度信号成分については、２つのインタレースフィールドの一方を選択し、これをライン２倍化または補間およびライン２倍化してからプログレッシブ走査低周波輝度信号成分に加える。１つのフィールドからのインタレース走査ビデオ信号のクロミナンス成分は、ラインが２倍化され、カラー差信号成分へと分離され、プログレッシブ走査輝度信号成分を有するマトリクスに適用される。
【００２２】
【発明の実施の形態】
Ｎａｔｉｏｎａｌ  Ｔｅｌｅｖｉｓｉｏｎ  Ｓｔａｎｄａｒｄｓ  Ｃｏｍｍｉｔｔｅｅ（ＮＴＳＣ）によって開発された基準の下では、ビデオ信号は連続的な画像フレームとして表示され、各フレームは上部フィールドと下部フィールドである２つのインタレース画像フィールドを含む。ＮＴＳＣのフレーム間隔は１／３０秒であり、１／６０秒毎の２つのフィールド間隔に分割される。画像フレームは、各画像フィールドにおいて２６２  １／２の水平ラインが生じるように分割された５２５の水平ライン間隔を含む。
【００２３】
図２Ａは、ＮＴＳＣビデオフレームの２つのフィールドの相対空間位置を示す画像走査図である。再生された画像において、上部ビデオフィールドのライン２１２は、下部ビデオフィールドのそれぞれのライン２１０の間で走査される。
【００２４】
以下に記載の本発明の例示的な実施形態は、２つのフィールドのそれぞれのラインの間のラインを補間し、下部フィールドのライン２１０および上部フィールドのライン２１２の間の空間位置を占める画像フレームのラインを生成する。例えば、ライン２１２Ａおよびライン２１２Ｃの間に配置された４つのラインを発生するために、ライン２１０Ａはライン２１２Ａおよびライン２１２Ｂに個別に平均化され、ライン２１０Ｂはライン２１２Ｂおよびライン２１２Ｃに個別に平均化される。これらの動作は、フレームを発生するために使用される画像フィールドのラインの間に空間位置および時間位置を有する非インタレース画像フレームの補間されたラインを生成する。
【００２５】
図１Ａは、本発明の実施形態を含む信号処理回路のブロック図である。図１Ａにおいて、インタレースされたビデオ信号が受け取られ、輝度−クロミナンス分離回路１０２に付与される。回路１０２は、例えば、カラー副搬送波の周波数の４倍のサンプル周波数４ｆscで輝度およびクロミナンス信号を提供するラインコームフィルタ（図示せず）を含み得る。クロミナンス信号は、サンプル（Ｒ−Ｙ）、（Ｂ−Ｙ）、−（Ｒ−Ｙ）、−（Ｂ−Ｙ）、（Ｒ−Ｙ）・・・の配列であり、（Ｒ−Ｙ）および（Ｂ−Ｙ）は、カラー差信号である。回路１０２によって提供された輝度信号は、約４ＭＨｚのバンド幅を有する一方、クロミナンス信号は、約０．５ＭＨｚのバンド幅を有する。
【００２６】
輝度−クロミナンス分離回路１０２によって提供される輝度信号は、本発明によればライン補間器１０６に付与される。ライン補間器１０６としての使用に適する例示的回路は、図１Ｂを参照に以下に説明する。以下に示すように、ライン補間器は、８ｆscのサンプルレートで輝度サンプルを提供し、入力インタレースビデオ信号のライン周波数の２倍を有する。
【００２７】
回路１０２によって提供されるクロミナンス信号は、ラインダブラ回路１０４に付与される。回路１０４は、現在のフィールドの各ラインに対してクロミナンスサンプルを２倍にし、サンプルを個別の（Ｒ−Ｙ）カラー差信号と（Ｂ−Ｙ）カラー差信号とに分離する。ラインが２倍化されたサンプルは、入力インタレースビデオ信号のラインレートの２倍である８ｆscのサンプルレートで提供される。ライン補間器１０６およびラインダブラ１０４によって提供されるＹ，（Ｒ−Ｙ）および（Ｂ−Ｙ）の出力信号は、信号を組み合わせて表示装置（図示せず）を駆動するために使用され得る原色信号Ｒ、Ｇ、およびＢを生成するマトリクス回路１０８に付与される。
【００２８】
図１Ｂは、図１Ａに示すライン補間器１０６として使用するのに適したライン補間回路のブロック図である。この回路は、図１Ａに示す輝度／クロミナンス分離回路１０２によって提供されるようなインタレース走査輝度信号を受け取り、その信号を２６２Ｈ遅延ライン１１０に付与する。現在受け取られるインタレース輝度信号は、合計回路１１４で２６２の水平ライン間隔だけ遅延された信号と合計される。２６２Ｈ遅延ラインの出力信号もまた、１Ｈ遅延ライン１１２の入力端子に付与され、２６３水平ライン間隔だけ遅延された信号を提供する。遅延ライン１１２の出力信号は、合計回路１１６の入力ポートの１つに付与される。合計回路１１６の他の入力ポートは、現在のインタレース輝度信号を受け取るように結合される。合計回路１１４の出力信号は、表示された画像の現在のラインの真下にある、前のフィールドからのラインと合計された現在のラインである。同様に、合計回路１１６の出力信号は、輝度データの現在受け取られたラインと表示される画像の現在のラインの真上の前のフィールドからの輝度データのラインとの合計である。
【００２９】
合計回路１１４および合計回路１１６の出力信号は、それぞれの時間圧縮回路１２０および１１８に付与される。回路１２０および１１８のそれぞれは、本質的に、サンプルの１つの水平ライン間隔を保持するために十分な数のセルを有するファーストイン・ファーストアウト（ＦＩＦＯ）メモリである。本発明の例示的な実施形態において、ＦＩＦＯメモリのそれぞれは、すくなくとも９１０画素のデータ値を保持する。データ値は、インタレース走査サンプルレート（例えば、４ｆsc）で合計回路１１４および１１６によって生成される際にメモリ１２０および１１８に格納され、次いで入力サンプルレートの２倍（例えば、８ｆfc）でメモリ１２０および１１８から交互に読み出される。よって、図１の示す回路の出力信号は、入力信号の２倍のビデオラインを有し、各ビデオラインは、入力信号のラインと同数のサンプルを有する。よって、図１に示す回路の出力信号は非インタレースビデオ信号であり、各非インタレースビデオ信号の各フレームの各ラインは、入力インタレースビデオ信号の２つのフィールドからのビデオ情報を含む。
【００３０】
時間圧縮回路１１８および１２０を制御するクロック信号は、図１Ｃに示す同期分離器およびクロック発生器１２８によって発生される。この回路は、インタレースビデオ信号を受け取り、この信号から画素クロック信号ＣＬＯＣＫ、画素クロック信号の２倍の周波数を有する周波数２倍化信号２×ＣＬＫ、および入力インタレースビデオ信号のライン周波数の２倍の周波数を有し、入力ビデオ信号の各半分のラインの状態を変化する信号２Ｈを発生する。同期分離器およびクロック発生器１２８は、例えば、水平同期パルスおよびカラーバースト信号をインタレースビデオ信号および２つの位相ロックされたループから分離する同期分離器回路を含み得る。２つの位相ロックされたループの１つは水平同期パルスに同期され信号２Ｈを発生し、もう一方はカラーバースト信号に同期され、信号ＣＬＯＣＫおよび２×ＣＬＫを生成する。本発明の例証的な実施形態において、信号ＣＬＯＣＫは、入力インタレースＮＴＳＣビデオ信号のカラー副搬送波（４ｆsc）の４倍の周波数を有し、信号２×ＣＬＫは、８ｆscの周波数を有する。
【００３１】
信号ＣＬＯＣＫは、１Ｈ（ＦＩＦＯ）メモリ１２０および１１８の書き込みクロック入力に付与される。この信号に応答して、合計回路１１４および１１６によって提供されるデータは、発生される画素ごとに画素上のＦＩＦＯメモリに格納される。ＦＩＦＯメモリ１２０に対する読み出しクロック信号は、インバータ１２４およびＡＮＤゲート１２６によって発生される。インバータ１２４は、回路１２８によって提供される信号２Ｈを反転させ、ＡＮＤゲート１２６の入力ポートの１つに付与する。ＡＮＤゲート１２６の他の入力端子は、信号２×ＣＬＫを受け取るように結合される。ＡＮＤゲート１２６は、半分のライン間隔についてのみだが入力画素レートの２倍でクロック信号を提供する。よって、合計回路１１４からのデータのラインの１つは、半分の水平ライン間隔において１Ｈ  ＦＩＦＯメモリ１２０から読み出される。
【００３２】
１Ｈ  ＦＩＦＯ１１８に対する読み出しクロック信号は、信号２×ＣＬＫおよび２Ｈ信号を受け取るために結合されたＡＮＤゲート１２２によって発生される。ＡＮＤゲートの出力信号は、回路１２６からの入力水平ライン間隔の反対半分であるが、ラインの入力ビデオデータの全てのサンプルに対して２×ＣＬＫのレートでクロックパルスを提供する。
【００３３】
動作中、入力データは１つのライン間隔の半分に対して１Ｈ  ＦＩＦＯ１１８に提供される。半分のライン間隔点に達した時、データがＦＩＦＯ１１８から半分のライン間隔に対して読み出されるが、これはＦＩＦＯに書き込まれるレートの２倍で行われる。よって、データの全ビデオラインはＦＩＦＯ１１８から半分のライン間隔で読み出される。ＦＩＦＯ１２０に対して、データの全ラインがＦＩＦＯに書き込まれ、次いで、半分のライン間隔においてＦＩＦＯから読み出される。ＦＩＦＯ１２０にデータの新しいラインを書き込む書き込みクロック信号の第１のパルスは、ＦＩＦＯ１２０からデータを読み取る読み出しクロック信号の第１のクロックパルスの直後に生じるように同期される。
【００３４】
データがＦＩＦＯ１１８によって提供されるとき、そのデータをプログレッシブ走査ビデオ信号として送るように、マルチプレクサ１３０が信号２Ｈによって調整される。しかし、データがＦＩＦＯ１２０によって提供されるとき、マルチプレクサ１３０はそのデータをプログレッシブ走査ビデオ信号として提供するように調整される。
【００３５】
ＦＩＦＯメモリ１１８および１２０の上述したタイミングは論理的には可能である一方、実際のＦＩＦＯメモリ装置は、上述の時間圧縮機能を実行するために１Ｈメモリ以上（例えば、９１０のメモリ位置）を必要とし得る。
【００３６】
図１Ｂに示す実施形態の代替として、２６２Ｈ遅延ライン１１０および１Ｈ遅延ライン１１２の位置を交換し、１１５および１１３の接続を切断し（Ｘによって示される）、１１７および１１１の接続（仮想的に示す）をその代わりに加え得ることが考えられる。この別の実施形態において、遅延フィールドからのラインが現在のフィールドの真上、および真下のラインに加えられる。図２Ａの表記を用いると、プログレッシブ走査ビデオ信号の２つの出力ラインを発生するために、ライン２１２Ｂがライン２１０Ａおよび２１０Ｂに同時に且つ別々に補間される。
【００３７】
図２Ｂは、１、２、および３と番号付けされたいくつかのインタレースフレームを示す垂直時間図である。各フレームは、下部フィールド「Ｌ」と上部フィールド「Ｕ」とを含む。図２Ｂにおける円の列は、ビデオフィールドの個別のラインを表す。図２Ｂに示すように、下部フィールドのライン２１０は表示される画像における上部フィールドのライン２１２の間に配置される。図２Ｂに示す垂直時間図は、図２Ａに示す画像走査図が、画像ラインがページに入り込むようにページから回転されるとみなし得る。
【００３８】
図２Ｃは、図１Ｂに示す回路の動作を示す。図２Ｃに示す楕円２１４および２１６のそれぞれは、図１Ｂに示す合計回路１１６および１１４の１つによって行われる補間動作を表す。例えば、楕円２１６は、合計回路１１６による現在のインタレースビデオ信号ライン２１０Ａを遅延ビデオ信号ライン２１２Ａに加算することを表す。同様に、楕円２１４は、現在のインタレースビデオ信号ライン２１０Ａと遅延インタレースビデオ信号ライン２１２Ｂとの加算を表す。
【００３９】
図１Ｂに示す補間回路に対する２つの入力ラインの時間的な位置が、フィールド時間間隔によって分離されているので、得られる補間ラインの時間的位置はフィールド時間間隔の中心に位置する。これを図２Ｄに示す。図２Ｄにおいて、補間されたフレームを、入力画像のフィールドを示す円の列の間の菱型の列として示す。図２Ｄに示すように、補間されたライン２２０Ａは、元のライン２１０Ａおよび２１２Ａから発生される。補間されたライン２２０Ｂは、入力インタレースライン２１０Ａおよび２１２Ｂから発生される。補間されたライン２２０Ｃおよび２２０Ｄは、補間された入力ライン２１０Ｂおよび２１２Ｂ、２１０Ｂおよび２１２Ｃのそれぞれと同様の方法で発生される。図２Ｅは、入力インタレースラインが取り除かれた出力非インタレースフレームの補間されたラインを示す。
【００４０】
図３は、出力非インタレースビデオ信号の垂直解像度を示すグラフである。図３に示す特性は、入力ビデオ画像の低域通過垂直フィルタリングを表す。図４は、振幅対サンプルレートのグラフであり、図１Ｂに示す回路によって提供される信号の時間的解像度を示す。この図は、非インタレースビデオ信号を生成する補間プロセスによるインタレースビデオ信号の時間的解像度が減少することを示す。
【００４１】
しかし、図１Ｂに示す回路による時間的解像度の低減は、標準ＣＣＤテレビジョンカメラによって生成された信号の時間的解像度に匹敵する。図５における曲線５１２は、フィールドレートビデオＣＣＤカメラの時間的解像度を示す。この特性で示されるロールオフは、１つのフィールド間隔にわたるＣＣＤカメラにおける画素データの統合の結果である。図５の曲線５１０は、フレーム統合ビデオＣＣＤカメラの時間的応答を同様に示す。図示されるように、フレーム統合カメラによって提供された信号の時間的解像度は、フィールド統合ビデオカメラによって提供されるものより相当低い。最後に、曲線５１４は、シャッターＣＣＤカメラの時間的応答特性を示す。シャッターカメラは、フレーム間隔またはフィールド間隔のいずれよりも短い時間間隔で光を迅速に統合し、よって、フレーム統合カメラまたはフィールド統合カメラのいずれよりも高い時間的解像度を有する。
【００４２】
図５に示すグラフから、図１Ｂに示す回路がフレーム統合カメラまたはフィールド統合カメラによって生成されたビデオ信号の時間的解像度に無視できるような効果しか有さないが、シャッターカメラに、より優れた効果を有し得ることが明らかである。
【００４３】
図１Ｂに示す回路は、図１Ａの輝度／クロミナンス分離フィルタ１０２によって発生され、コームフィルタリングされた輝度信号に作用する。この回路は大多数の画像に対して良好な結果を生成する一方、画像によっては、画像の水平ラインに沿ってぼやけたり、ビデオ信号の２つのフィールドの間に動きがある時に２重画像をも起こし得る。これらのアーチファクトは、補間された非インタレース走査ビデオ信号への高周波水平ビデオ情報の包含、および画像フレームを構成する２つのフィールドの間の画像における水平動きによって起こされる。この動きが生じる際、非インタレースフレームの画素を生成するために平均化された２つのフィールドの画素が同一のビデオ情報を表示し得ない。画像が弱い垂直エッジを含む際、エッジがぼやけ得る。強い垂直エッジを含む画像は、ライン上の異なる点で画素に寄与し、ビデオ画像に明らかな２重エッジを生じ得る。
【００４４】
図６に示す回路は、このようなぼやけアーチファクト、または２重ラインアーチファクトを緩和するために設計される。本質的に、この回路は、ビデオ画像の低水平周波成分にのみライン補間を適用し、補間されたラインを成分フィールドの１つのみから取られた高周波ビデオ情報で増加させる。図６に示す回路は、図１Ａに示す輝度／クロミナンス分離回路１０２によって提供されるインタレース輝度信号、または輝度およびクロミナンス成分の両方を含むインタレース複合ビデオ信号のいずれかを受け取り得る。
【００４５】
図６において、インタレース入力信号は、低域通過フィルタ６１０および減算回路６１２の入力ポートの１つに付与される。減算回路６１２の他の入力ポートは結合され、低域通過フィルタ６１０の出力信号を受け取る。低域通過フィルタ６１０の出力信号は、図１Ｂに示すものと同じであり得るライン補間回路１０６にも付与される。従って、減算回路６１２の出力信号は、インタレースビデオ信号の高水平周波成分のみを表す。
【００４６】
図６に示す回路に対する入力信号が複合ビデオ信号である場合、減算回路６１２によって提供される信号は、高周波輝度信号成分からクロミナンス信号成分を分離し、輝度信号成分をライン反復回路６１６に提供するオプションの輝度／クロミナンス分離回路１０２’に付与される。本発明のこの代替の実施形態において、分離されたクロミナンス信号は、図１Ａに示すライン２重化回路１０４に付与される。
【００４７】
しかし、図６に示す回路に対する入力信号が図１Ａに示す輝度／クロミナンス分離回路１０２によって提供されるコームフィルタリングされた輝度信号である場合、回路１０２’は必要なく、高周波輝度信号は、減算回路６１２からライン反復回路６１２に直接付与される。
【００４８】
例示的なライン反復回路６１６は、上述するライン２重回路１０４と同じように動作し、ビデオサンプルの非インタレースラインを生成する。ここで、現在の入力ビデオフィールドにおける各ラインからの水平高周波情報が、出力ビデオフレームにおいてライン近傍で２度起こる。ライン反復回路６１６は、非インタレース信号の対応するサンプルと高周波ビデオ情報を合計回路６１８で合計することによって、これらの高周波成分をライン補間器６１４によって提供される非インタレース信号の全てのラインに付与する。
【００４９】
図７は、図６に示す回路における使用に適切なライン反復回路のブロック図である。図７において、クロックおよびパルス発生器７１２によって提供される信号も受け取る１ＨＦＩＦＯメモリ７１０に入力信号が付与される。これらの信号は、入力サンプルレートにおける入力クロック信号ｆs、および入力サンプルレートの２倍の出力クロック信号２ｆsを含む。入力ＦＩＦＯ７１０に対するアドレスカウンタがラインレートパルスによってリセットされる。ＦＩＦＯ７１０に対する出力アドレスカウンタが、ラインレートパルスの２倍の周波数を有するパルスによってリセットされる。動作において、入力ラインの半分がＦＩＦＯに書き込まれた際、２倍のラインレートパルスは出力カウンタをリセットし、データの格納されたラインが書き込まれた時の２倍のレートで読み出される。読み出しリセットパルスが生じた後の半分のライン間隔において、ＦＩＦＯ７１０に格納されたデータが初めて読み出され、データを２度目に読み出すために、次の半分のライン間隔中に読み出しクロックを再びリセットする。読み出しクロックがリセットされた直後、書き込みクロックがリセットされ、読み出しクロック信号に応答して読み出したばかりのＦＩＦＯメモリ７１０のセルに、データの新しいラインを格納することが開始される。図１のＦＩＦＯメモリ１１８および１２０を参照にして述べたように、実際の実施において、ＦＩＦＯメモリ７１０は、適切に動作するためにセルの１Ｈの数を超える追加のセルを必要とし得る。
【００５０】
図７に示す回路は、１つのフィールドからラインを単に２倍にし、補間されたフレームのそれぞれのラインにそれを付与する。しかし、これは非インタレース画像に対角アーチファクトを生じ得る。図７に示すライン反復スキームに対する代替のスキームは、図８に示すライン補間フィルタである。この回路は高周波輝度情報を１Ｈ遅延ライン８１０に受け、高周波情報をゲイン調節回路６１２Ａおよび６１２Ｃに付与する。１Ｈ遅延ラインの出力信号は、ゲイン調節回路８１２Ｂおよび８１２Ｄに付与される。ゲイン調節回路８１２Ａおよび８１２Ｄによって提供される出力信号は、合計回路８１４に付与される。合計回路８１４は、図１Ｂに示す合計回路１１４によって提供される出力信号と加算される信号を生成する。ゲイン調節回路８１２Ｃおよび８１２Ｄの出力信号は、図１Ｂに示す合計回路１１６によって提供される出力信号に加算される出力信号を生成する合計回路８１６に付与される。ゲイン調節回路８１２Ａおよび８１２Ｂを、例えば、それぞれ０．２５および０．７５にそれぞれ設定し、ゲイン調節回路８１２Ｃおよび８１２Ｄを０．７５および０．２５にそれぞれ設定することによって、さもなければライン反復回路で失われる垂直位相報を補間を介して部分的に取り戻し得る。
【００５１】
本発明は、ＮＴＳＣビデオ信号処理回路に関して説明したが、これは任意のインタレース走査ビデオ信号を非インタレースまたはプログレッシブ走査ビデオ信号に変換するために用いられ得ることが企図される。ビデオ信号処理回路を設計する当業者は、本発明の上述に与えられた回路を容易に構築することができる。
【００５２】
本発明を例示的な実施形態に関して説明したが、特許請求の範囲で上記に概要を述べたように実施され得ることが考えられる。
【００５３】
【発明の効果】
本発明によれば、インタレース走査ビデオ信号をプログレッシブ走査ビデオ信号に変換するシステムは、インタレース走査画像フレームを構成する上部および下部フィールドのそれぞれのライン間にラインを補間してプログレッシブ走査画像フレームを生成する。その結果、アーチファクトを引き起こすことなく、インタレース走査−プログレッシブ走査変換を行うことができる。１つの画像フィールド内の画素に対して他の画像フィールドにおける画素、または補間された画素に対して補間されない画素の周波数応答が異ならないようにすることができる。
【図面の簡単な説明】
【図１Ａ】本発明の実施形態を含むビデオ信号処理回路のブロック図である。
【図１Ｂ】図１Ａに示す回路における使用に適したビデオ信号ライン補間回路のブロック図である。
【図１Ｃ】図１Ａおよび図１Ｂに示すビデオ信号処理回路と共に使用することに適したクロック信号発生回路のブロック図である。
【図２Ａ】画像フレームを構成する２つのフィールドの間の空間的な関係を示すビデオ画像図である。
【図２Ｂ】いくつかのビデオ画像フィールドのいくつかのラインを示し、本発明が動作する環境を説明するために有用な垂直時間図である。
【図２Ｃ】図１Ｂに示す回路の動作を説明するために有用な、複数の画像フィールドの複数のラインの垂直時間図である。
【図２Ｄ】図１Ｂに示す回路を用いて生成され、結果として得られる複数のフレームの非インタレースラインに重ね合わされたインタレース信号の複数のフィールドの複数のラインの垂直時間図である。
【図２Ｅ】図１Ｂに示す回路によって生成された複数の非インタレースフレームの複数のラインを示す垂直時間図である。
【図３】図２Ｄに示す非インタレースビデオ信号に対する垂直サンプル数対振幅のグラフである。
【図４】図２Ｄに示す非インタレースビデオ信号に対するサンプルレート対振幅のグラフである。
【図５】ビデオカメラによって提供されるフィルタリングと、図１Ｂに示す本発明の実施形態の間の関係を説明するために有用なサンプルレート対振幅のグラフである。
【図６】図１Ｂに示すようなライン補間器を含む本発明の別の実施形態によるビデオ信号処理回路のブロック図である。
【図７】図６に示す回路での使用に適したライン反復回路のブロック図である。
【図８】図６に示すライン反復回路に代えての使用に適したラインコームフィルタのブロック図である。
【符号の説明】
１０２  輝度−クロミナンス分離回路
１０４  ラインダブラ回路
１０６  ライン補間器
１０８  マトリクス回路
１１０  ２６２Ｈ遅延ライン
１１２  １Ｈ遅延ライン
１２８  同期分離器およびクロック発生器
【図１Ａ】
0004125442.tif 000002
【図１Ｂ】
0004125442.tif 000003
【図１Ｃ】
0004125442.tif 000004
【図２Ａ】
0004125442.tif 000005
【図２Ｂ】
0004125442.tif 000006
【図２Ｃ】
0004125442.tif 000007
【図２Ｄ】
0004125442.tif 000008
【図２Ｅ】
0004125442.tif 000009
【図３】
0004125442.tif 000010
【図４】
0004125442.tif 000011
【図５】
0004125442.tif 000012
【図６】
0004125442.tif 000013
【図７】
0004125442.tif 000014
【図８】
0004125442.tif 000015